(57)【要約】【課題】メッセージ貼り絵を完成させるのに、列席者のセンスを要求することなく簡単にしかも綺麗に作れ、尚且つ書かれたメッセージをスムーズに読み易くすること。又、より演出効果の高い商品を作ること。【解決手段】より簡単に作れるように、貼り付け片の貼付位置の目安となる今までの図柄に加え、図４に示すように個々の貼り付け片の貼り付け位置のマーキングを印刷した。又、より繊細な図柄を綺麗に作るためには、図６に示すように、個々の貼り付け片の輪郭を貼付け位置のマーキングとして印刷し、加えて個々の貼り付け片の貼り方の順番を貼付け位置マーキングと共に印刷をした。図11に示すように、より演出効果を上げるためにカバーモチーフの裏面にメッセージに関連する印刷物やシールなどを貼り付けたり、思い出の写真やイラストを直接書き入れることが出来る写真イラスト欄を設けた。【選択図】 図６
2015066692.tif 000002
【特許請求の範囲】
【請求項１】
台板と、該台板に貼り付け可能な複数の貼り付け片とのセットであって、貼り付け片は、書き込みが可能なメッセージ欄と、該メッセージ欄に見開き可能に被さり、メッセージ欄を露出させることが可能なカバーモチーフとによって形成され、メッセージ欄の裏面に台板に貼り付けるための貼付け手段を具えたメッセージ貼り絵セットであって、台板には貼り付け片の貼付け位置の目安となる図柄に加えて個々の貼り付け片の貼り付け位置のマーキングが施されているメッセージ貼り絵セット。
【請求項２】
台板に個々の貼り付け片の貼る順番が印刷されている請求項1に記載のメッセージ  貼り絵セット。
【請求項３】
カバーモチーフの裏面に写真イラスト欄を設けた請求項１乃至請求項２に記載のメッセージ貼り絵セット。
【請求項４】
請求項１乃至請求項３のいずれかに記載のメッセージ貼り絵。
【発明の詳細な説明】
【技術分野】
【０００１】
本発明は、メッセージ入りの複数の貼り付け片を台板に貼り付けて、絵画の様な作品に仕上げたメッセージ貼り絵及びメッセージ貼り絵を製作するためのメッセージ貼り絵セットに関するものである。
【背景技術】
【０００２】
結婚披露宴で、メッセージの書込みが可能で且つ装飾性を有する貼り付け片を列席者に配布して、会場の適所に掲げた台板上に、メッセージを書き込んだ貼り付け片を各自に貼り付けさせ、外観は絵画の様に見えるメッセージ貼り絵に仕上げて、会場で披露することを案出した演出効果のある寄せ書きのウェルカムボードは既にある。特許文献1にあるメッセージ貼り絵セットである。台板には貼り付け片の貼付け位置の目安となる図柄が施されているメッセージ貼り絵セットである。
【０００３】
新郎新婦を祝福するために集まった列席者が、各自のメッセージが書き込まれた貼り付け片を共通の台板に貼り付けて絵画の様に仕上げること、及び仕上がったメッセージ貼り絵をその場で披露することは、披露宴を大いに盛り上げるセレモニーとなる。又、貼り付け片１つ１つに記載されたメッセージが、新郎、新婦の前途を祝し、励まし、勇気づけるというものである。
【先行技術文献】
【特許文献】
【０００４】
【特許文献１】特開２００５−１１１８５９
【発明の概要】
【発明が解決しようとする課題】
【０００５】
従来型のメッセージ貼り絵セットでは貼り付け片の貼り付け位置のおおよその目安となる図柄を施してはいたが、そのデザインによっては、何十枚ものメッセージ入り貼り付け片を絵画として綺麗に見えるように貼ることは難しかった。
また貼り付けた後、全部の貼り付け片に書いてあるメッセージを読み返したいと思っても、披露宴の列席者が思い思いの向きに貼り付けてしまっていることもあり、簡単には読むことが出来ないこともあった。
【０００６】
何故なら、貼り付け片はメッセージ欄とカバーモチーフとを合わせて重ね、天となる一端どうしを接合しているので、下から上にめくりあげて読むことが可能であるが、前記にあるように、列席者が思い思いの向きに貼った後だと、自分がメッセージを読むために額の周りを回るか、もしくは額を回さないと読むことが難しいという不具合があった。
【課題を解決するための手段】
【０００７】
請求項１記載の発明は台板と、該台板に貼り付け可能な複数の貼り付け片とのセットであって、貼り付け片は、書き込みが可能なメッセージ欄と、該メッセージ欄に見開き可能に被さり、メッセージ欄を露出させることが可能なカバーモチーフとによって形成され、メッセージ欄の裏面に台板に貼り付けるための貼付け手段を具えたメッセージ貼り絵セットであって、台板には貼り付け片の貼付け位置の目安となる図柄に加えて個々の貼り付け片の貼り付け位置のマーキングが施されているメッセージ貼り絵セットである。
【０００８】
この発明によれば、列席者は個々の貼り付け片を貼るのに迷うことなく台板に貼ることが出来る。又、迷うことなく貼り進めていけるので、絵を完成するのに時間の
短縮効果もあり披露宴の進行に妨げが少なくなる。美的センスを要求されることなく、ストレスを感じないといったメリットもある。
【０００９】
請求項２記載の発明は台板に個々の貼り付け片の貼る順番が印刷されている請求項1に記載のメッセージ貼り絵セットである。
【００１０】
普通、列席者は個々の貼付け片を貼るのにどのように貼っていけば、新郎新婦がメッセージを読みやすくなるかということには、頓着がない。だから思い思いの向きに思わず貼ってしまうこともある。
しかし、この発明によれば、印刷された順番の通りに貼っていくだけで、簡単に絵は完成してしまうのである。また  重なり具合も計算に入れ順番を付しているので、新郎新婦はスムーズにメッセージを読むことが出来、額を回して読むなどという不都合はない。
【００１１】
請求項３記載の発明はカバーモチーフの裏面に写真イラスト欄を設けた請求項１乃至請求項２に記載のメッセージ貼り絵セットである。
【００１２】
この発明によれば、メッセージだけでなく印刷物やシールなどを貼り付けたり、思い出の写真やイラストを直接書き入れることが出来、視覚に直接訴える力も付加することが可能となり、楽しさが倍増する。
【００１３】
請求項４記載の発明は請求項１乃至請求項３のいずれかに記載のメッセージ貼り絵である。
【００１４】
この発明によれば、メッセージを書き込むまでにまず、台板に貼り付け片を貼り付けて絵を完成させて、まずはウェルカムボードとして使用し、後でメッセージを書き込んでもらう等という手法の使い方もできる。
【発明の効果】
【００１５】
従来型より貼る際のセンスを要求されることがなく、貼り絵の完成時間の短縮が可能となり、メッセージを読み返すのが楽になったメッセージ貼り絵を提供できる。  加えて、メッセージ貼り付け片のカバーモチーフの裏面に写真や絵を貼ることで楽しさが倍増することが可能となった。
【図面の簡単な説明】
【００１６】
【図１】図柄を施し、個々の貼り付け位置マーキングした台板の上に２色の貼り付け片を載せて額装したメッセージ貼り絵の正面図である。      （実施例１)
【図２】図柄を施した台板の正面図である。                      （実施例１)
【図３】台板の断面図である。                                  （実施例１)
【図４】図柄を施し、個々の貼り付け片の貼り付け位置マーキングをした台板の正面図である。                                        （実施例１)
【図５】左から貼り付け片の正面図、カバーモチーフをめくり上げた図、側面図である。                                              （実施例１)
【図６】図柄を施し、貼り付け片を貼る順番や貼り付け片の個々の貼り付け位置や貼り付け片の配色をラインで表現し、印刷した台板の正面図である。                                                      （実施例２)
【図７】図柄を施し、個々の貼り付け位置を記載した台板の上に貼り付け片を載せて額装したメッセージ貼り絵の正面図である。          （実施例３)
【図８】図柄を施した台板の正面図である。                      （実施例３)
【図９】台板の断面図である。                                  （実施例３)
【図１０】図柄を施し、個々の貼り付け片の貼り付け位置マーキングを印刷した台板の正面図である。                                （実施例３)
【図１１】左から貼り付け片の正面図、カバーモチーフをめくり上げた図、底面図である。                                          （実施例３)
【図１２】左から貼付片のカバーモチーフをめくり上げた側面図、閉じた状態の側面図である。                                       （実施例３)
【発明を実施するための形態】
【００１７】
本発明は貼り付け片の貼付け位置の目安となる図柄に加えて、個々の貼り付け片の貼付け位置マーキングが施されているメッセージ貼り絵セットであり、個々の貼り付け片の輪郭や貼り付けの順番が印刷されている場合や、貼り付け片のカバーモチーフの裏面に写真イラスト欄を設ける場合もある。
【実施例１】
【００１８】
先ず、最初に図１〜図５に基づいて実施例１について説明する。
図５に示すように貼り付け片５は、書き込みが可能なメッセージ欄５ａと、該メッセージ欄５ａに見開き可能に被さり、メッセージ欄５ａを露出させることが可能なカバーモチーフ５ｂとによって形成され、メッセージ欄５ａの裏面に台板に貼り付けるための貼付け手段である貼り付けシール５ｄを具えている。
図３に示すように台板２は厚紙で形成された基板に布で形成した装飾シート２ａを被覆して形成されている。図２に示すように装飾シート２ａには貼り付け片５を迷わず綺麗に貼り付けられるように、貼り付け片５の貼付位置の目安となる図柄３が施されている。仕上がりが綺麗になるように、その上から更に貼り付け片５の個々の貼り付け片の貼付け位置マーキング４を施したのが図４である。そうして貼り付け片５を貼りつけて完成したメッセージ貼り絵１が図１である。
【００１９】
メッセージ貼り絵１が綺麗に見えるかどうかは、貼り付け位置のバランスの良さで決まる。図４で示すようにあらかじめ貼り付け片５の個々の貼り付け片の貼付け位置マーキング４を施していることで、列席者は迷うことなくバランスよく、貼り付けていくことが出来る。貼り付け位置マーキング４を施す方法としては、印刷による場合や、チャコペンで書き記す場合などがある。
貼り付け片を貼る際は額の下の方から上の方向に向けて貼ることと、貼り付け位置マーキングに合わせ、メッセージがひっくり返らないように貼り付けシールを貼るだけである。この方法によると花の形の貼り付け片５を貼り付けていく様子は春になって何も無かった木立に花が次々に咲いていくかのような、感慨深いものがあり、お披露宴などのお目出度い席には大変うってつけのサプライズの演出が可能である。ここでは貼り付け位置マーキング４は点を採用しているがが、これに限定するものではなく線で表現してもよい。又、カバーモチーフは花の形の刺繍で創作しているが、これに限定するものではなく、布の上に置く造形物として相応しければ、紙製でも、布製でも粘土でも樹脂製でも構わない。
【実施例２】
【００２０】
図６に基づいて実施例２について説明する。
台板２は厚紙で形成された基板に布で形成した装飾シート２ａを被覆して形成されている。実施例１との違いは図６に示すように、装飾シート２ａには貼り付け片５の個々の貼り付け片の貼付け位置マーキング４１として、個々の貼り付け片の輪郭を印刷している。加えて個々の貼り付け片の貼る順番や貼付け片の大小及び/又は配色までを個々の貼り付け片の貼付け位置マーキングと共に印刷をしたものである。その後、貼り付け片５を貼り付けて、メッセージ貼り絵１を完成させる。
【００２１】
個々の貼り付け片の輪郭を印刷することで、貼り付け片５の重なり具合も、貼る方向も定めているので、列席者の思い思いの方向に貼られることが無くなり、格段にメッセージを読みやすくすることが可能になった。
個々の貼り付け片の貼り付けの順番を印刷することで、列席者は迷うことなく貼り付け片を貼り進めることが出来、さらに貼り付け片の大小、配色を印刷することで、より繊細で華やかな絵画を形成することが可能になった。
今回は貼り付け片５はデザイン上、趣きを深めるため、大小２つのサイズを採用し、色も２色採用したが、貼り付け片５は２つのサイズにこだわらず１つでも３つでもそれ以上でもかまわないし、色も２色にこだわるものではない。貼り絵のデザインにより適宜に変更が可能である。他には大の文字が描かれているが、ここは大きなサイズの貼り付け片を貼る目安となる処だ。貼り付け片５の輪郭で大きさを認識もできるが、具体的に「大」などと書いてあると瞬時に判断できるので望ましい。
これも大といった表現だけにとどまらず中や小という表現もあるし、Ｓ、Ｍ、Ｌといった表現も可能である。
この方法だと木立の上に花の輪郭があるので貼り絵の完成がイメージしやすい特徴がある。
【実施例３】
【００２２】
次は、図７〜図１２を基づいて実施例３について説明する。
実施例３は図１１に示すように、貼り付け片５１に写真イラスト欄５１ｃを付加したキットである。
図９に示すように台板２１は厚紙で形成された基板に布で形成した装飾シート２１ａを被覆して形成されている。図８に示すように装飾シート２１ａには貼り付け片５１を綺麗に貼り付けられるように、貼り付け片５１の貼付位置の目安となる図柄３１が施されている。仕上がりが綺麗になるように、その上から更に貼付け片５１の貼付位置の輪郭を貼付け位置マーキング４２として線で描いたのが図１０である。図１１に示すように貼り付け片５１は、書き込みが可能なメッセージ欄５１ａと、該メッセージ欄５１ａに見開き可能に被さり、メッセージ欄５１ａを露出させることが可能なカバーモチーフ５１ｂとによって形成され、カバーモチーフ５１ｂの裏面に写真イラスト欄５１ｃを設け、メッセージ欄５１ａの裏面には台板２１に貼り付けるための貼付け手段５１ｄを具えている。
図１２は貼り付け片５１の嵩高さを表現するため記載した。完成したメッセージ貼り絵１１を表したのが図７である。
【００２３】
写真イラスト欄５１ｃを設けることで、メッセージに関連する印刷物やシールなどを貼り付けたり、思い出の写真やイラストを直接書き入れることが出来、サプライズの演出効果も大いに期待できる。
ここではカバーモチーフは嵩高いものを採用したが、平面的なものでもよいのはもちろんのことである。
又、材料として今回リボンを用い  カバーモチーフを創作したがこれに限定するものではなく、紙や布で造形したものや、粘土や、樹脂等材料はいろいろと採用が可能である。貼り付け位置マーキングは丸いラインを用いたが、点を採用しても貼り付け片の輪郭を採用してもよい。
【産業上の利用可能性】
【００２４】
本発明によれば、このメッセージ貼り絵は従来品と違い、メッセージの貼り付け位置をより具体的に指示しているので、制作にかかわる人のセンスを要求されることなく、気軽に簡単に綺麗なメッセージ貼り絵を作りあげることが可能となった。
また、貼り付け位置を具体的に指示しているので、貼り絵の完成時間が短縮され、披露宴の進行がスムーズに行えるようになった。
又、貼り付け片に写真やイラストや似顔絵などを配置することでより一層楽しい、サプライズの効果の高い、メッセージ貼り絵を完成することが出来る。
【符号の説明】
【００２５】
１,１１・・・・・・・・・・・・・・・・・・・・・・・・メッセージ貼り絵
２,２１・・・・・・・・・・・・・・・・・・・・・・・・台板
２ａ,２１ａ・・・・・・・・・・・・・・・・・・・・・・装飾シート
３,３１・・・・・・・・・・・・・・・・・・・・・・・・図柄
４,４１,４２・・・・・・・・・・・・・・・・・・・・・・貼付け位置マーキング
５,５１・・・・・・・・・・・・・・・・・・・・・・・・貼り付け片
５ａ,５１ａ・・・・・・・・・・・・・・・・・・・・・・メッセージ欄
５ｂ, ５１ｂ・・・・・・・・・・・・・・・・・・・・・カバーモチーフ
５１ｃ・・・・・・・・・・・・・・・・・・・・・・・・写真イラスト欄
５ｄ,５１ｄ・・・・・・・・・・・・・・・・・・・・・・貼り付けシール
【図１】
2015066692.tif 000003
【図２】
2015066692.tif 000004
【図３】
2015066692.tif 000005
【図４】
2015066692.tif 000006
【図５】
2015066692.tif 000007
【図６】
2015066692.tif 000008
【図７】
2015066692.tif 000009
【図８】
2015066692.tif 000010
【図９】
2015066692.tif 000011
【図１０】
2015066692.tif 000012
【図１１】
2015066692.tif 000013
【図１２】
2015066692.tif 000014